【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
送信解像度を設定する設定手段と、
原稿画像を読み取って画像データを生成する生成手段と、
前記生成手段により生成された画像データを記憶する記憶手段と、
前記記憶手段に記憶された画像データに基づいて、前記設定手段により設定された前記送信解像度に対応する送信用の画像データを生成する生成手段と、
前記生成手段により生成された前記送信用の画像データに基づいて、印刷を実行する印刷手段と、
前記印刷手段による印刷の完了に従って、送信を実行するか否かをユーザに確認させるための確認画面を表示部に表示させる表示制御手段と、
前記ユーザによる送信指示に従って、外部と通信するための通信インタフェースを介して前記送信用の画像データの送信を実行する送信手段と、
を備えることを特徴とする画像処理装置。
【請求項２】
送信先の装置の印刷能力を取得する取得手段と、
前記取得手段により取得された前記送信先の装置の印刷能力に基づいて、前記送信先の装置が前記送信用の画像データに基づく印刷を実行可能であるか否かを判定する判定手段と、をさらに備え、
前記送信先の装置が前記送信用の画像データに基づく印刷を実行可能であると前記判定手段により判定された場合、前記送信用の画像データは、前記通信インタフェースを介して送信される、
ことを特徴とする請求項１に記載の画像処理装置。
【請求項３】
前記取得手段は、前記送信先の装置の印刷能力として、印刷解像度を取得し、
前記判定手段は、前記送信先の装置の印刷解像度が前記送信解像度以上である場合、前記送信先の装置が前記送信用の画像データに基づいて印刷を実行可能であると判定する、
ことを特徴とする請求項２に記載の画像処理装置。
【請求項４】
前記生成手段は、前記送信先の装置が前記送信用の画像データに基づく印刷を実行可能でないと前記判定手段により判定された場合、前記送信用の画像データから、前記送信用の画像データの解像度よりも低い解像度を有する低解像度の画像データを生成し、
前記送信手段は、該生成された前記低解像度の画像データを送信する、
ことを特徴とする請求項２又は３に記載の画像処理装置。
【請求項５】
前記表示制御手段は、前記低解像度の画像データが送信された場合、前記低解像度の画像データが送信されたことを前記表示部に表示させることを特徴とする請求項４に記載の画像処理装置。
【請求項６】
前記送信用の画像データは、前記ユーザの送信指示に従って、ＦＡＸ送信されることを特徴とする請求項１乃至５のいずれか１項に記載の画像処理装置。
【請求項７】
前記表示制御手段は、前記記憶手段に記憶された画像データが前記通信インタフェースを介して送信可能な最大送信解像度以上の解像度を有する場合、前記確認画面において、前記送信解像度の変更の指示を受け付けるための指示画面を前記表示部に表示させ、
前記生成手段は、前記送信解像度の変更の指示を受け付けた場合、該変更された送信解像度に対応する画像データを生成し、
前記印刷手段は、該生成された画像データに基づいて印刷を実行し、
前記表示制御手段は、送信を実行するか否かをユーザに確認させるための確認画面を前記表示部に表示させる、
ことを特徴とする請求項１乃至６のいずれか１項に記載の画像処理装置。
【請求項８】
前記確認画面は、前記ユーザによる送信指示を受け付けるための画面であることを特徴とする請求項１乃至７のいずれか１項に記載の画像処理装置。
【請求項９】
画像処理装置において実行される制御方法であって、
送信解像度を設定する設定工程と、
原稿画像を読み取って画像データを生成する生成工程と、
前記生成工程において生成された画像データを記憶部に記憶する記憶工程と、
前記記憶部に記憶された画像データに基づいて、前記設定工程において設定された前記送信解像度に対応する送信用の画像データを生成する生成工程と、
前記生成工程において生成された前記送信用の画像データに基づいて、印刷を実行する印刷工程と、
前記印刷工程における印刷の完了に従って、送信を実行するか否かをユーザに確認させるための確認画面を表示部に表示させる表示制御工程と、
前記ユーザによる送信指示に従って、外部と通信するための通信インタフェースを介して前記送信用の画像データの送信を実行する送信工程と、
を有することを特徴とする制御方法。
【請求項１０】
送信先の装置の印刷能力を取得する取得工程と、
前記取得工程において取得された前記送信先の装置の印刷能力に基づいて、前記送信先の装置が前記送信用の画像データに基づく印刷を実行可能であるか否かを判定する判定工程と、をさらに有し、
前記送信先の装置が前記送信用の画像データに基づく印刷を実行可能であると前記判定工程において判定された場合、前記送信用の画像データは、前記通信インタフェースを介して送信される、
ことを特徴とする請求項９に記載の制御方法。
【請求項１１】
前記取得工程では、前記送信先の装置の印刷能力として、印刷解像度を取得し、
前記判定工程では、前記送信先の装置の印刷解像度が前記送信解像度以上である場合、前記送信先の装置が前記送信用の画像データに基づいて印刷を実行可能であると判定する、
ことを特徴とする請求項１０に記載の制御方法。
【請求項１２】
前記生成工程では、前記送信先の装置が前記送信用の画像データに基づく印刷を実行可能でないと前記判定工程において判定された場合、前記送信用の画像データから、前記送信用の画像データの解像度よりも低い解像度を有する低解像度の画像データを生成し、
前記送信工程では、該生成された前記低解像度の画像データを送信する、
ことを特徴とする請求項１０又は１１に記載の制御方法。
【請求項１３】
前記表示制御工程では、前記低解像度の画像データが送信された場合、前記低解像度の画像データが送信されたことを前記表示部に表示させることを特徴とする請求項１２に記載の制御方法。
【請求項１４】
前記送信用の画像データは、前記ユーザの送信指示に従って、ＦＡＸ送信されることを特徴とする請求項９乃至１３のいずれか１項に記載の制御方法。
【請求項１５】
前記表示制御工程では、前記記憶部に記憶された画像データが前記通信インタフェースを介して送信可能な最大送信解像度以上の解像度を有する場合、前記確認画面において、前記送信解像度の変更の指示を受け付けるための指示画面を前記表示部に表示させ、
前記生成工程では、前記送信解像度の変更の指示を受け付けた場合、該変更された送信解像度に対応する画像データを生成し、
前記印刷工程では、該生成された画像データに基づいて印刷を実行し、
前記表示制御工程では、送信を実行するか否かをユーザに確認させるための確認画面を前記表示部に表示させる、
ことを特徴とする請求項９乃至１４のいずれか１項に記載の制御方法。
【請求項１６】
前記確認画面は、前記ユーザによる送信指示を受け付けるための画面であることを特徴とする請求項９乃至１５のいずれか１項に記載の制御方法。
【請求項１７】
請求項１乃至８に記載の画像処理装置の各手段としてコンピュータを機能させるためのプログラム。
【手続補正２】
【補正対象書類名】明細書
【補正対象項目名】発明の名称
【補正方法】変更
【補正の内容】
【発明の名称】画像処理装置、制御方法およびプログラム
【手続補正３】
【補正対象書類名】明細書
【補正対象項目名】０００１
【補正方法】変更
【補正の内容】
【０００１】
本発明は、ファクス送信機能を実行可能な画像処理装置、制御方法およびプログラムに関する。
【手続補正４】
【補正対象書類名】明細書
【補正対象項目名】０００５
【補正方法】変更
【補正の内容】
【０００５】
本発明の目的は、このような従来の問題点を解決することにある。上記の点に鑑み、本発明は、ファクス送信機能を実行する際にユーザの利便性を向上させる画像処理装置、制御方法およびプログラムを提供することを目的とする。
【手続補正５】
【補正対象書類名】明細書
【補正対象項目名】０００６
【補正方法】変更
【補正の内容】
【０００６】
上記課題を解決するため、本発明に係る画像処理装置は、送信解像度を設定する設定手段と、原稿画像を読み取って画像データを生成する生成手段と、前記生成手段により生成された画像データを記憶する記憶手段と、前記記憶手段に記憶された画像データに基づいて、前記設定手段により設定された前記送信解像度に対応する送信用の画像データを生成する生成手段と、前記生成手段により生成された前記送信用の画像データに基づいて、印刷を実行する印刷手段と、前記印刷手段による印刷の完了に従って、送信を実行するか否かをユーザに確認させるための確認画面を表示部に表示させる表示制御手段と、前記ユーザによる送信指示に従って、外部と通信するための通信インタフェースを介して前記送信用の画像データの送信を実行する送信手段とを備えることを特徴とする。